(57)【要約】      （修正有）【課題】駆動ダミー電極及び／又は受信ダミー電極を変形して基本静電容量を減少させることにより、客体によるタッチ感度を向上させることができるタッチセンサパネルを提供する。【解決手段】タッチセンサパネルは、第１層において第１軸方向に延びてタッチを感知するための複数の駆動電極１０、第１層において第１軸方向に延びてタッチを感知しない複数の駆動ダミー電極１１、第２層において第１軸方向と交差する第２軸方向に延びてタッチを感知するための複数の受信電極２０及び第２層において第２軸方向に延びてタッチを感知しない複数の受信ダミー電極２１を含む。駆動電極と受信電極との間の静電容量の経路のうち、一部が遮断される。駆動電極と受信電極との間に、絶縁層３００を有してもよい。【選択図】図３ｃ
2019102075.tif 000002
【特許請求の範囲】
【請求項１】
第１層において第１軸方向に延びてタッチを感知するための複数の駆動電極と、
前記第１層において前記第１軸方向に延びてタッチを感知しない複数の駆動ダミー電極と、
第２層において前記第１軸方向と交差する第２軸方向に延びてタッチを感知するための複数の受信電極と、
前記第２層において前記第２軸方向に延びてタッチを感知しない複数の受信ダミー電極と、を含み、
前記駆動電極と前記受信電極との間の静電容量の経路のうち一部が遮断された、
タッチセンサパネル。
【請求項２】
前記複数の受信ダミー電極は、少なくとも一部が前記複数の駆動電極が配置された位置と向かい合う位置に配置され、
前記複数の駆動ダミー電極は、少なくとも一部が前記複数の受信電極が配置された位置と向かい合う位置に配置され、
前記第２層に形成された受信電極の外郭線に対応する前記第１層の領域に駆動ダミー電極が形成されない、請求項１に記載のタッチセンサパネル。
【請求項３】
前記複数の駆動ダミー電極は、残りの一部が前記複数の受信電極が配置されない位置と向かい合う位置に配置される、請求項２に記載のタッチセンサパネル。
【請求項４】
前記複数の駆動ダミー電極のうち前記少なくとも一部と前記第２層に形成された受信電極の外郭線との間は、所定の距離以上離隔されている、請求項２又は３に記載のタッチセンサパネル。
【請求項５】
前記複数の駆動ダミー電極のうち前記少なくとも一部と前記第２層に形成された受信ダミー電極の外郭線との間は、所定の距離以上離隔されている、請求項２又は３に記載のタッチセンサパネル。
【請求項６】
前記複数の受信ダミー電極は、少なくとも一部が前記複数の駆動電極が配置された位置と向かい合う位置に配置され、
前記複数の駆動ダミー電極は、少なくとも一部が前記複数の受信電極が配置された位置と向かい合う位置に配置され、
前記第１層に形成された駆動電極の外郭線に対応する前記第２層の領域に受信ダミー電極が形成されない、請求項１に記載のタッチセンサパネル。
【請求項７】
前記複数の受信ダミー電極は、残りの一部が前記複数の駆動電極が配置されない位置と向かい合う位置に配置される、請求項６に記載のタッチセンサパネル。
【請求項８】
前記複数の受信ダミー電極のうち前記少なくとも一部と前記第１層に形成された駆動電極の外郭線との間は、所定の距離以上離隔されている、請求項６又は７に記載のタッチセンサパネル。
【請求項９】
前記複数の受信ダミー電極のうち前記少なくとも一部と前記第１層に形成された駆動ダミー電極の外郭線との間は、所定の距離以上離隔されている、請求項６又は７に記載のタッチセンサパネル。
【発明の詳細な説明】
【技術分野】
【０００１】
本発明は、タッチセンサパネルに関するもので、より具体的には、駆動ダミー電極及び／又は受信ダミー電極を変形して基本静電容量を減少させるためのタッチセンサパネルに関する。
【背景技術】
【０００２】
コンピューティングシステムの操作のために、多様な種類の入力装置が用いられている。例えば、ボタン（button）、キー（key）、ジョイスティック（joystick）、タッチスクリーンのような入力装置が用いられている。タッチスクリーンの手軽で簡単な操作により、コンピューティングシステムの操作時にタッチスクリーンの利用が増加している。
【０００３】
タッチスクリーンは、タッチ−感応表面（touch-sensitive surface）を備えた透明なパネルであり得るタッチセンサパネル（touch sensor panel）を含んでもよい。このようなタッチセンサパネルは、ディスプレイスクリーンの前面に付着され、タッチ−感応表面がディスプレイスクリーンの見える面を覆うことができる。タッチスクリーンは、ユーザが指などでディスプレイスクリーンを単純にタッチすることによって、ユーザがコンピューティングシステムを操作することができるようにする。一般的に、タッチスクリーンは、ディスプレイスクリーン上の接触及び接触位置を認識し、コンピューティングシステムは、このような接触を解釈することによって、これに従って演算を遂行することができる。
【０００４】
一般的に、タッチセンサパネルは、視認性を克服するために客体のタッチを感知しないダミー電極まで含むことになる。このように、ダミー電極まで含む場合、一般電極のみを含む場合に比べて、基本静電容量の大きさが大きくなることになるが、特にダミー電極と一般電極のパターンが互いにオーバーラップ（over lap）している場合、基本静電容量の大きさが相当大きくなることがあり、これにより客体によるタッチ感度が落ちることになる問題が発生する。
【発明の概要】
【発明が解決しようとする課題】
【０００５】
本発明は前記問題点を解決するために導出されたもので、駆動ダミー電極及び／又は受信ダミー電極を変形して基本静電容量を減少させることにより、客体によるタッチ感度を向上させることを目的とする。
【課題を解決するための手段】
【０００６】
本発明の実施形態によるタッチセンサパネルは、第１層において第１軸方向に延びてタッチを感知するための複数の駆動電極、前記第１層において前記第１軸方向に延びてタッチを感知しない複数の駆動ダミー電極、第２層において前記第１軸方向と交差する第２軸方向に延びてタッチを感知するための複数の受信電極、及び前記第２層において前記第２軸方向に延びてタッチを感知しない複数の受信ダミー電極を含み、
前記駆動電極と前記受信電極との間の静電容量の経路のうち一部が遮断されたことを特徴とする。
【発明の効果】
【０００７】
本発明の実施形態によるタッチセンサパネルによると、駆動ダミー電極及び／又は受信ダミー電極が変形されて基本静電容量は減少され、これと共に客体によるタッチ感度は向上するようになる。
【図面の簡単な説明】
【０００８】
【図１】本発明の実施形態による静電容量方式のタッチセンサパネルの概略図である。
【図２ａ】本発明の実施形態によるタッチセンサパネルが駆動電極と受信電極以外に駆動ダミー電極と受信ダミー電極まで含む場合の各電極の配置を示すために参照される図面である。
【図２ｂ】本発明の実施形態によるタッチセンサパネルが駆動電極と受信電極以外に駆動ダミー電極と受信ダミー電極まで含む場合の各電極の配置を示すために参照される図面である。
【図２ｃ】本発明の実施形態によるタッチセンサパネルが駆動電極と受信電極以外に駆動ダミー電極と受信ダミー電極まで含む場合の各電極の配置を示すために参照される図面である。
【図３ａ】本発明の実施形態により駆動ダミー電極及び／又は受信ダミー電極が変形されて駆動電極と受信電極との間の静電容量の経路のうち一部が遮断された例を示すために参照される図面である。
【図３ｂ】本発明の実施形態により駆動ダミー電極及び／又は受信ダミー電極が変形されて駆動電極と受信電極との間の静電容量の経路のうち一部が遮断された例を示すために参照される図面である。
【図３ｃ】本発明の実施形態により駆動ダミー電極及び／又は受信ダミー電極が変形されて駆動電極と受信電極との間の静電容量の経路のうち一部が遮断された例を示すために参照される図面である。
【図３ｄ】本発明の実施形態により駆動ダミー電極及び／又は受信ダミー電極が変形されて駆動電極と受信電極との間の静電容量の経路のうち一部が遮断された例を示すために参照される図面である。
【図３ｅ】本発明の実施形態により駆動ダミー電極及び／又は受信ダミー電極が変形されて駆動電極と受信電極との間の静電容量の経路のうち一部が遮断された例を示すために参照される図面である。
【図３ｆ】本発明の実施形態により駆動ダミー電極及び／又は受信ダミー電極が変形されて駆動電極と受信電極との間の静電容量の経路のうち一部が遮断された例を示すために参照される図面である。
【図３ｇ】本発明の実施形態により駆動ダミー電極及び／又は受信ダミー電極が変形されて駆動電極と受信電極との間の静電容量の経路のうち一部が遮断された例を示すために参照される図面である。
【図３ｈ】本発明の実施形態により駆動ダミー電極及び／又は受信ダミー電極が変形されて駆動電極と受信電極との間の静電容量の経路のうち一部が遮断された例を示すために参照される図面である。
【図４ａ】本発明の実施形態により変形されたダミー電極で構成されたタッチセンサパネルの形状を示すために参照される図面である。
【図４ｂ】本発明の実施形態により変形されたダミー電極で構成されたタッチセンサパネルの形状を示すために参照される図面である。
【図４ｃ】本発明の実施形態により変形されたダミー電極で構成されたタッチセンサパネルの形状を示すために参照される図面である。
【図４ｄ】本発明の実施形態により変形されたダミー電極で構成されたタッチセンサパネルの形状を示すために参照される図面である。
【図５ａ】本発明の実施形態により変形されたダミー電極で構成されたタッチセンサパネルの形状を示すために参照される図面である。
【図５ｂ】本発明の実施形態により変形されたダミー電極で構成されたタッチセンサパネルの形状を示すために参照される図面である。
【図６ａ】本発明の実施形態により駆動電極と受信電極との間の静電容量の経路のうち一部を遮断させることにより、基本静電容量が減少された実験例について記述するために参照される図面である。
【図６ｂ】本発明の実施形態により駆動電極と受信電極との間の静電容量の経路のうち一部を遮断させることにより、基本静電容量が減少された実験例について記述するために参照される図面である。
【図６ｃ】本発明の実施形態により駆動電極と受信電極との間の静電容量の経路のうち一部を遮断させることにより、基本静電容量が減少された実験例について記述するために参照される図面である。
【図６ｄ】本発明の実施形態により駆動電極と受信電極との間の静電容量の経路のうち一部を遮断させることにより、基本静電容量が減少された実験例について記述するために参照される図面である。
【図６ｅ】本発明の実施形態により駆動電極と受信電極との間の静電容量の経路のうち一部を遮断させることにより、基本静電容量が減少された実験例について記述するために参照される図面である。
【発明を実施するための形態】
【０００９】
後述する本発明に対する詳細な説明は、本発明を実施することができる特定の実施形態を例示として図示する添付の図面を参照する。これらの実施形態は、当業者が本発明を実施するのに十分なように詳細に説明される。本発明の多様な実施形態は互いに異なるが、相互に排他的である必要はないことが理解されなければならない。例えば、ここに記載されている特定の形状、構造及び特性は、一実施形態に関連して本発明の精神及び範囲を外れないながらも、他の実施形態で具現されてもよい。また、それぞれの開示された実施形態内の個別の構成要素の位置又は配置は、本発明の精神及び範囲を外れないながらも、変更されてもよいことが理解されなければならない。したがって、後述する詳細な説明は限定的な意味として取ろうとするのではなく、本発明の範囲は、適切に説明されるならば、その請求項が主張することと均等なすべての範囲と共に添付された請求項によってのみ限定される。図面において類似の参照符号は様々な側面にわたって同一もしくは類似の機能を指し示す。
【００１０】
以下、添付される図面を参照して本発明の実施形態によるタッチセンサパネル１について説明する。
【００１１】
図１は、本発明の実施形態による静電容量方式のタッチセンサパネル１の概略図である。図１に示されたように、本発明の実施形態による静電容量方式のタッチセンサパネル１は、駆動電極１０、受信電極２０、及び駆動電極１０と受信電極２０との間に位置する絶縁層３００を含んで構成されてもよい。この時、本発明の実施形態によるタッチセンサパネル１は、駆動電極１０と受信電極２０との間の静電容量の変化を感知し、これを適合した電気信号に変換して出力することができる。
【００１２】
この時、図１に示されたように、駆動電極１０は第１絶縁シート１００上に配列されてもよく、受信電極２０は第２絶縁シート２００上に配列されてもよい。駆動電極１０と受信電極２０は、それぞれ第１絶縁シート１００及び第２絶縁シート２００の互いに向かい合う面に配列されてもよい。第１絶縁シート１００及び／又は第２絶縁シート２００は、ＰＥＴ（Polyethylene terephthalate）又はガラス（glass）のような絶縁物質であってもよい。駆動電極１０及び受信電極２０は、それぞれＩＴＯ（Indium Tin Oxide）電極であってもよい。
【００１３】
図１によると、駆動電極１０と受信電極２０とがそれぞれ異なる層に配置されており、駆動電極１０が下層に配置され、受信電極２０が駆動電極１０よりも上層に配置されたもので示したが、本発明の技術的範囲はこれに制限されず、駆動電極１０が上層に配置され、受信電極２０が下層に配置された場合にも同一／類似に適用されてもよい。
【００１４】
駆動電極１０と受信電極２０は、互いに交差するように配置されてもよい。本発明の実施形態によるタッチセンサパネル１は、駆動電極１０と受信電極２０の交差地点ごとに所定の静電容量、すなわちキャパシタンス値を有するが、身体の一部やスタイラスなどの客体が近接する場合、このような静電容量の値が変更され得る。このように駆動電極１０と受信電極２０との間に相互静電容量が形成され得るように駆動電極１０と受信電極２０との間に絶縁層３００を含んでもよい。このような絶縁層３００は、光学的に透明ながらも第１絶縁シート１００と第２絶縁シート２００を互いに接着させることができるように光学的に透明な接着物質（OCA：Optical Clear Adhesive）又は樹脂（resin）のような物質からなってもよい。
【００１５】
本発明の実施形態において、駆動電極１０には駆動信号が印加されてもよく、受信電極２０は、駆動電極１０と受信電極２０との間の相互静電容量によってカップリング（coupling）された駆動信号を受信することができる。身体やスタイラスなどの客体の一部の接触などによって駆動電極１０と受信電極２０との間の相互静電容量が変化することがあり、このような電気的特性の変化を感知して客体の接触及びその位置をセンシングすることができる。
【００１６】
以下では、本発明の実施形態によるタッチセンサパネル１の基本静電容量（base capacitance）を減少（reduce）させることができる構造について説明する。一般的に、客体がタッチセンサパネル１に接触しない場合に、タッチセンサパネル１自体で生成される基本静電容量は、図１のように駆動電極１０と受信電極２０のみが含まれている時よりも、図２のように、駆動電極１０と受信電極２０以外に駆動ダミー電極１１と受信ダミー電極２１まで含まれている場合、その大きさがさらに大きくなる。駆動ダミー電極１１と受信ダミー電極２１が含まれることにより、基本静電容量の大きさが相当大きくなれば、タッチ感度が落ちることになる。したがって、本発明の場合、駆動ダミー電極１１と受信ダミー電極２１が含まれるタッチセンサパネル１においてもタッチ感度が向上され得るよう、駆動ダミー電極１１及び／又は受信ダミー電極２１が変形されたタッチセンサパネル１を具現する。
【００１７】
図２ａは、本発明の実施形態によるタッチセンサパネル１が駆動電極１０と受信電極２０以外に駆動ダミー電極１１と受信ダミー電極２１まで含む場合の各電極の配置を示す断面図である。そして、図２ｂでは、図２ａのタッチセンサパネル１の駆動電極１０と駆動ダミー電極１１を示し、図２ｃでは、図２ａのタッチセンサパネル１の受信電極２０と受信ダミー電極２１を示した。
【００１８】
本発明の実施形態によるタッチセンサパネル１は、図２ｂに示したように、第１層において第１軸方向に延びてタッチを感知するための複数の駆動電極１０ａ，１０ｂ，１０ｃ，１０ｄと第１層において第１軸方向に延びてタッチを感知しない複数の駆動ダミー電極１１ａ，１１ｂ，１１ｃを含んでもよい。
【００１９】
本発明の実施形態によるタッチセンサパネル１は、図２ｃに示したように、第２層において第１軸方向と交差する第２軸方向に延びてタッチを感知するための複数の受信電極２０ａ，２０ｂ，２０ｃ，２０ｄと第２層において第２軸方向に延びてタッチを感知しない複数の受信ダミー電極２１ａ，２１ｂ，２１ｃを含んでもよい。
【００２０】
この時、駆動ダミー電極１１及び／又は受信ダミー電極２１が変形されて駆動電極１０と受信電極２０との間の静電容量の経路のうち一部を遮断させることによって、基本静電容量が減少した例を下記の図３において記述する。
【００２１】
図３ａは、図２ａの一部を拡大してＡ−Ｂ方向に切断した場合を仮定したものであり、Ａ−Ｂ方向に切断された場合の断面図が図３ｂ〜図３ｄに示されている。
【００２２】
図３ｂに示したように、複数の受信ダミー電極２１のうちの少なくとも一部は、複数の駆動電極１０が配置された位置と向き合う位置に配置され、複数の駆動ダミー電極１１は、少なくとも一部が複数の受信電極２０が配置された位置と向き合う位置に配置されてもよい。この時の静電容量の経路は矢印で示した。すなわち、駆動電極１０及び受信電極２０との間に受信ダミー電極２１と駆動ダミー電極１１を介して基本静電容量が形成されていることが分かる。
【００２３】
反面、図３ｃでは、図３ｂの駆動ダミー電極１１の一部を変形させることによって基本静電容量の経路が一部遮断されたものを示した。
【００２４】
図３ｃに示したように、駆動ダミー電極１１の一部が切断されることによって変形されてもよく、特に、駆動ダミー電極１１の一部は受信電極２０の外郭線に沿って切断されて複数のピースに分割されてもよい。この場合、第２層に形成された受信電極２０の外郭線に対応する第１層の領域Ｉには駆動ダミー電極が形成されなくなる。そして、複数の駆動ダミー電極１１は、少なくとも一部（Ｚ’を含む）が複数の受信電極２０が配置された位置と向き合う位置に配置されてもよく、複数の駆動ダミー電極１１は、残りの一部Ｚが複数の受信電極２０が配置されない位置と向き合う位置に配置されることになる。図３ｂとは異なり図３ｃでは、第１層に配置された第１駆動ダミー電極Ｚと第２駆動ダミー電極Ｚ’との間の静電容量の経路が遮断されて、図３ｂよりも基本静電容量が減少したことが分かる。
【００２５】
本発明の実施形態によると、図３ｅに示したように、複数の駆動ダミー電極１１のうちの少なくとも一部（Ｚ’を含む）と第２層に形成された受信電極２０の外郭線との間は所定の距離ｄ以上離隔されていてもよい。本発明の他の実施形態によると、図３ｆに示したように、複数の駆動ダミー電極１１のうちの少なくとも一部（Ｚ’を含む）と第２層に形成された受信ダミー電極２１の外郭線との間は所定の距離ｄ以上離隔されていてもよい。そして、図３ｅ及び図３ｆで記述した所定の距離ｄは、それぞれあらかじめ設定されてメモリ（図示せず）に格納されてもよい。
【００２６】
一方、図３ｄでは、図３ｂの受信ダミー電極２１の一部を変形させることによって基本静電容量の経路が一部遮断されたものを示した。
【００２７】
図３ｄに示したように、受信ダミー電極２１の一部が切断されることによって変形されてもよく、特に、受信ダミー電極２１の一部は駆動電極１０の外郭線に沿って切断されて複数のピースに分割されてもよい。この場合、第１層に形成された駆動電極１０の外郭線に対応する第２層の領域Ｉ’には受信ダミー電極が形成されなくなる。そして、複数の受信ダミー電極２１は、少なくとも一部（Ｆを含む）が複数の駆動電極１０が配置された位置と向き合う位置に配置され、複数の受信ダミー電極２１は、残りの一部（Ｆ’）が複数の駆動電極１０が配置されない位置と向き合う位置に配置されることになる。図３ｂと異なり図３ｄでは、第２層に形成された第１受信ダミー電極（Ｆ）と第２受信ダミー電極（Ｆ’）との間の静電容量の経路が遮断され、図３ｂよりも基本静電容量が減少したことが分かる。
【００２８】
本発明の実施形態によると、図３ｇに示したように、複数の受信ダミー電極２１のうちの少なくとも一部（Ｆを含む）と第１層に形成された駆動電極１０の外郭線との間は、所定の距離ｄ以上離隔されていてもよい。本発明の他の実施形態によると、図３ｈに示したように、複数の受信ダミー電極２１のうちの少なくとも一部（Ｆを含む）と第１層に形成された駆動ダミー電極１１の外郭線との間は、所定の距離ｄ以上離隔されていてもよい。そして、図３ｇ及び図３ｈにおいて記述した所定の距離ｄは、それぞれあらかじめ設定されてメモリ（図示せず）に格納されてもよい。
【００２９】
このように、図３ｃ〜図３ｈのようなダミー電極の変形として基本静電容量が減少し、タッチ感度が向上され得るようになる。
【００３０】
以下では、前述した変形されたダミー電極及び変形されたダミー電極で構成されたタッチセンサパネルの形状について記述する。
【００３１】
図４ａに示したように、複数の駆動電極のそれぞれ（１０ａ）は複数の駆動電極パッド１００ａ，１００ｂ，１００ｃが第１軸方向に連結されて構成され、図４ｂに示したように、複数の受信電極それぞれ（２０ａ）は複数の受信電極パッド２００ａ，２００ｂ，２００ｃが第２軸方向に連結されて構成されてもよい。
【００３２】
そして、図４ｃに示したように、複数の駆動ダミー電極１１ａ，１１ｂは、各受信電極パッド２００ａと向かい合う位置に少なくとも一つの駆動ダミーパッド１１０ａを含んで配置されてもよい。このような駆動ダミーパッド１１０ａは、図５ａに示したように、受信電極パッド２００ａと向き合う位置の中央に配置された第１駆動ダミーパッドＡ、第１駆動ダミーパッドＡを囲む位置として受信電極パッド２００ａが配置された位置と向かい合う位置に配置された複数の第２駆動ダミーパッドＢ１，Ｂ２、受信電極パッド２００ａの外郭に配置された複数の第３駆動ダミーパッドＣを含んでもよい。実施形態により、受信電極パッド２００ａが配置された位置と向かい合う位置に配置された第２駆動ダミーパッドＢ１，Ｂ２の少なくとも一部（Ｂ２）と受信電極パッド２００ａの外郭に配置された第３駆動ダミーパッドＣの大きさは同一であってもよい。
【００３３】
一方、図４ｄに示したように、複数の受信ダミー電極２１ａ，２１ｂは、各駆動電極パッド１００ａと向かい合う位置に少なくとも一つの受信ダミーパッド２１０ａを含んで配置されてもよい。このような受信ダミーパッド２１０ａは、図５ｂに示したように駆動電極パッド１００ａと向かい合う位置の中央に配置された第１受信ダミーパッドＡ’と駆動電極パッド１００ａの外郭に配置された複数の第２受信ダミーパッドＢ’，Ｂ’’を含んでもよい。実施形態により、駆動電極パッド１００ａの外郭に配置された複数の第２受信ダミーパッドＢ’，Ｂ’’の大きさは、それぞれ同一であってもよい。
【００３４】
本発明の場合、駆動電極パッド／受信電極パッドまたは駆動ダミーパッド／受信ダミーパッドの形状は、菱形の形状、六角形の形状、八角形の形状など多様な形状を有してもよい。
【００３５】
そして、駆動電極／受信電極の形状や位置が図示された実施形態に限定されず、図示された実施形態の駆動電極（及び、駆動ダミー電極）の形状を受信電極（及び、受信ダミー電極）の形状で構成し、実施形態の受信電極（及び、受信ダミー電極）の形状を駆動電極（及び、駆動ダミー電極）の形状で構成する実施形態も可能である。また、受信電極（及び、受信ダミー電極）と駆動電極（及び、駆動ダミー電極）の形状を、全て図示された受信電極（及び、受信ダミー電極）の形状にしたり、又は、全て図示された駆動電極（及び、駆動ダミー電極）の形状にしたりすることもできる。
【００３６】
以下では、駆動ダミー電極１１と受信ダミー電極２１まで含まれたタッチセンサパネル１において、駆動ダミー電極１１及び／又は受信ダミー電極２１が変形されて駆動電極１０と受信電極２０との間の静電容量の経路のうち一部を遮断させることによって、基本静電容量が減少した実験例について記述する。
【００３７】
図６ａは、図１のように駆動ダミー電極１１と受信ダミー電極２１が含まれないタッチセンサパネル１の例として、この場合には、基本静電容量の大きさが、約０．６ｐＦを示す。
【００３８】
図６ｂは、図３ｂのように駆動ダミー電極１１と受信ダミー電極２１が全て含まれたタッチセンサパネル１の例として、この場合には、基本静電容量の大きさが、約４．７ｐＦを示すことが分かる。すなわち、図６ａに比べて基本静電容量の大きさが相当大きく、タッチ感度が減少することが分かる。
【００３９】
反面、図６ｃは、駆動ダミー電極１１と受信ダミー電極２１が全て含まれ、駆動ダミー電極１１と受信ダミー電極２１の全てが変形されて駆動電極１０と受信電極２０との間の静電容量の経路のうち一部が遮断されたタッチセンサパネル１の例として、この場合には、図６ｂの場合に比べて基本静電容量の大きさが約０．７ｐＦまで減少したことが分かる。
【００４０】
図６ｄは、駆動ダミー電極１１と受信ダミー電極２１が全て含まれ、駆動ダミー電極１１のみ変形されて駆動電極１０と受信電極２０との間の静電容量の経路のうち一部が遮断されたタッチセンサパネル１の例として、この場合には、図６ｂの場合に比べて基本静電容量の大きさが約０．９ｐＦまで減少したことが分かる。
【００４１】
図６ｅは、駆動ダミー電極１１と受信ダミー電極２１が全て含まれ、受信ダミー電極２１のみ変形されて駆動電極１０と受信電極２０との間の静電容量の経路のうち一部が遮断されたタッチセンサパネル１の例として、この場合には、図６ｂの場合に比べて基本静電容量の大きさが約０．９ｐＦまで減少したことが分かる。
【００４２】
図６ｄと図６ｅの場合、図６ｃと同様に基本静電容量の大きさが大幅に減少しなくても、図６ｃの場合と類似するように基本静電容量の大きさが減少することが分かる。すなわち、本発明の場合、駆動ダミー電極１１と受信ダミー電極２１は共に変形されたり、駆動ダミー電極１１や受信ダミー電極２１の二つのうち何れか一つが変形されても基本静電容量の大きさが大幅に減少することによって、タッチ感度が向上することが分かる。
【００４３】
以上において、実施形態に説明された特徴、構造、効果などは、本発明の一つの実施形態に含まれ、必ずしも一つの実施形態にのみ限定される訳ではない。さらに、各実施形態において例示された特徴、構造、効果などは、実施形態が属する分野における通常の知識を有する者によって、他の実施形態に対しても組み合わせ又は変形されて実施可能である。したがって、このような組み合わせや変形に関係した内容は、本発明の範囲に含まれるものと解釈されるべきである。
【００４４】
また、以上において、実施形態を中心に説明したが、これは単に例示に過ぎず、本発明を限定する訳ではなく、本発明が属する分野における通常の知識を有する者であれば、本実施形態の本質的な特性を外れない範囲で、以上に例示されない様々な変形と応用が可能であることが分かるはずである。例えば、実施形態に具体的に示された各構成要素は、変形して実施することができるものである。そして、このような変形と応用に係る相違点は、添付の特許請求の範囲において規定する本発明の範囲に含まれるものと解釈されるべきである。
【図１】
2019102075.tif 000003
【図２ａ】
2019102075.tif 000004
【図２ｂ】
2019102075.tif 000005
【図２ｃ】
2019102075.tif 000006
【図３ａ】
2019102075.tif 000007
【図３ｂ】
2019102075.tif 000008
【図３ｃ】
2019102075.tif 000009
【図３ｄ】
2019102075.tif 000010
【図３ｅ】
2019102075.tif 000011
【図３ｆ】
2019102075.tif 000012
【図３ｇ】
2019102075.tif 000013
【図３ｈ】
2019102075.tif 000014
【図４ａ】
2019102075.tif 000015
【図４ｂ】
2019102075.tif 000016
【図４ｃ】
2019102075.tif 000017
【図４ｄ】
2019102075.tif 000018
【図５ａ】
2019102075.tif 000019
【図５ｂ】
2019102075.tif 000020
【図６ａ】
2019102075.tif 000021
【図６ｂ】
2019102075.tif 000022
【図６ｃ】
2019102075.tif 000023
【図６ｄ】
2019102075.tif 000024
【図６ｅ】
2019102075.tif 000025